(57)【要約】【課題】連続撮影の開始前と後で観察する画像の明るさおよび色合いに変化のないファインダ装置を有するデジタル一眼レフカメラを提供する。【解決手段】撮像手段２７と、ファインダ光学系３０と、可動ミラー２４と、可動ミラー２４がダウン位置にある場合に被写体の輝度を測定する測光手段５６と、測光手段５６の出力に基づいて撮像手段２７の露光量を決定する露光量決定手段４１と、撮像手段２７で撮像された被写体像を表示する表示手段８と、連続撮像動作の際、可動ミラー２４をアップ位置にしたまま撮像手段２７による撮像動作および表示手段８による画像表示動作を繰り返すように制御する制御手段４１と、上記連続撮影の開始前に測定された測光値に基づいて表示手段８で表示される被写体像の明るさを調整する調整手段４５とを具備したことを特徴とする。【選択図】  図１
2005006217.tif 000002
【特許請求の範囲】
【請求項１】
撮像手段を有するデジタル一眼レフカメラにおいて、
ファインダ光学系と、
上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、
上記可動ミラーが上記第１の位置にある場合に、上記ファインダ光学系を介して上記被写体像の輝度を測定する測光手段と、
上記測光手段の出力に基づいて、上記撮像手段の露光量を決定する露光量決定手段と、
上記撮像手段で撮像された被写体像を表示するための表示素子を含み、該表示素子に表示された像を上記ファインダ光学系の観察光路の一部を共用して観察可能な表示手段と、
連続撮像動作の実行の際、上記可動ミラーを上記第２の位置に移動させたまま上記撮像手段による撮像動作、及び上記表示手段による画像表示動作を繰り返すように制御する制御手段と、
上記連続撮影の開始前に測定された測光値に基づいて、上記表示手段で表示される被写体像の明るさを調整する調整手段と、
を具備したことを特徴とするデジタル一眼レフカメラ。
【請求項２】
上記調整手段は、上記表示素子の背面に配置されたバックライトの発光輝度を調整することを特徴とする請求項１に記載のデジタル一眼レフカメラ。
【請求項３】
撮像手段を有するデジタル一眼レフカメラにおいて、
ファインダ光学系と、
上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、
上記可動ミラーが上記第１の位置にある場合に、上記ファインダ光学系を介して上記被写体像の色度を測定する測色手段と、
上記測色手段の出力に基づいて被写体輝度情報を算出し、該被写体輝度情報に基づいて上記撮像手段の露光量を決定する露光量決定手段と、
上記撮像手段で撮像された被写体像を表示するための表示素子を含み、該表示素子に表示された像を上記ファインダ光学系の観察光路の一部を共用して観察可能な表示手段と、
連続撮像動作の実行の際、上記可動ミラーを上記第２の位置に移動させたまま上記撮像手段による撮像動作、及び上記表示手段による画像表示動作を繰り返すように制御する制御手段と、
上記連続撮影の開始前に測定された測色値に基づいて、上記表示手段で表示される被写体像の色合いを調整する調整手段と、
を具備したことを特徴とするデジタル一眼レフカメラ。
【請求項４】
光学被写体像を観察するためのファインダと、
被写体像を撮像するための撮像素子を含む撮像手段と、
上記撮像手段の撮像光路内にあって、撮像レンズを通過した被写体光束を上記ファインダ光学系に導く第１の位置と上記撮像光路から退避した第２の位置に移動可能な可動ミラーと、
上記可動ミラーを上記第２の位置に保持したまま、上記撮像手段による撮像動作を繰り返させる連続撮像動作を制御する制御手段と、
上記連続撮像動作の実行中は、上記ファインダ内において上記光学被写体像に代わって上記撮像手段で撮像した電子被写体像を視認できるよう表示する表示手段と、
を具備しており、
上記表示手段は、上記光学被写体像と上記電子被写体像の明るさ、および／または、色合いが同じになるように調整して表示することを特徴とするデジタル一眼レフカメラ。
【請求項５】
上記連続撮像動作の開始に先立って、上記ファインダ光学系を介して上記被写体像の輝度を測定する測光手段、および／または色度を測定する測色手段を、さらに具備し、該測光手段による上記被写体像の輝度、および／または測色手段による色度の測定結果に基づいて、上記光学被写体像と上記電子被写体像の明るさ、および／または、色合いが同じになるように調整して表示する調整手段を具備したことを特徴とする請求項４に記載のデジタル一眼レフカメラ。
【請求項６】
上記連続撮影動作中は、上記可動ミラーは、上記第２の位置に移動させた状態に保持することを特徴とする請求項４に記載のデジタル一眼レフカメラ。
【発明の詳細な説明】
【０００１】
【発明の属する技術分野】
本発明は、デジタル一眼レフカメラ、詳しくは、ファインダ光学系を用いて被写体を観察し、固体撮像素子を用いて被写体像を撮像するデジタル一眼レフカメラに関する。
【０００２】
【従来の技術】
周知のように、銀塩フィルムを用いる一眼レフカメラのファインダ装置は、光学被写体像を観察する、ペンタプリズムやポロプリズム等の光学部材を用いて構成された光学式ファインダが一般的であるが、デジタル式の一眼レフカメラのファインダ装置は、光学式ファインダ装置にさらに表示素子を配設して、該表示素子に撮像素子の出力を表示し、電子被写体像をファインダから観察する、所謂電子ビューファインダとして構成することも可能である。また、このような電子ビューファインダの状態と光学式ファインダの状態とを任意に切り換えることのできるファインダ装置も知られるところである。
【０００３】
ところで、光学式ファインダと電子ビューファインダとを共用するデジタル一眼レフカメラにおいては、連続撮影（連写）動作を高速化することができる利点がある。
【０００４】
本出願人は、このような利点に鑑みて、連写動作の開始に伴って光学ファインダの可動ミラーを撮像光路から待避させたままとし、その際、撮像した電子画像を光学式ファインダによる光学被写体像に代えて電子ビューファインダにて電子被写体像を観察するようにした、光学式ファインダと電子ビューファインダを共用したファインダ装置を特許文献１に提案している。
【０００５】
このようにファインダ装置を構成すれば、連写の際に可動ミラーをアップダウンさせる必要がなくなるので、高速動作する可動ミラーによる騒音や振動を抑制でき、かつ連写速度を高速化することができるという多大な利点がある。
【０００６】
【特許文献１】
特願２００２−６５０２号公報
【０００７】
【発明が解決しようとする課題】
しかしながら、上記特許文献１においては、光学式ファインダは、フォーカシングスクリーンに結像した光学被写体像を観察し、電子ビューファインダは、輝度やホワイトバランス等が調整された電子被写体像を観察するようにしているので、両画像の間では、明るさや色あいが異なる。
【０００８】
したがって、光学式ファインダの状態で光学被写体像を観察しながら連続撮影を開始し、最初の１枚が撮像された後に電子ビューファインダの状態に切り替えて撮像した電子被写体像を表示すると、画像の明るさや色合いが急激に変化してしまうので、撮影者にとって非常に違和感を覚えてしまうといった問題がある。
【０００９】
本発明は、上記問題点に鑑みてなされたものであり、その目的は、連続撮影の開始前と後で観察する画像の明るさおよび色合いに変化のないファインダ装置を有するデジタル一眼レフカメラを提供するにある。
【００１０】
【課題を解決するための手段、及び作用】
上記の目的を達成するために本発明によるデジタル一眼レフカメラは、撮像手段を有するデジタル一眼レフカメラにおいて、ファインダ光学系と、上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、上記可動ミラーが上記第１の位置にある場合に、上記ファインダ光学系を介して上記被写体像の輝度を測定する測光手段と、上記測光手段の出力に基づいて、上記撮像手段の露光量を決定する露光量決定手段と、上記撮像手段で撮像された被写体像を表示するための表示素子を含み、該表示素子に表示された像を上記ファインダ光学系の観察光路の一部を共用して観察可能な表示手段と、連続撮像動作の実行の際、上記可動ミラーを上記第２の位置に移動させたまま上記撮像手段による撮像動作、及び上記表示手段による画像表示動作を繰り返すように制御する制御手段と、上記連続撮影の開始前に測定された測光値に基づいて、上記表示手段で表示される被写体像の明るさを調整する調整手段と、を具備したことを特徴とし、また、上記調整手段は、上記表示素子の背面に配置されたバックライトの発光輝度を調整することを特徴とする。
【００１１】
また、本発明によるデジタル一眼レフカメラは、撮像手段を有するデジタル一眼レフカメラにおいて、ファインダ光学系と、上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、上記可動ミラーが上記第１の位置にある場合に、上記ファインダ光学系を介して上記被写体像の色度を測定する測色手段と、上記測色手段の出力に基づいて被写体輝度情報を算出し、該被写体輝度情報に基づいて上記撮像手段の露光量を決定する露光量決定手段と、上記撮像手段で撮像された被写体像を表示するための表示素子を含み、該表示素子に表示された像を上記ファインダ光学系の観察光路の一部を共用して観察可能な表示手段と、連続撮像動作の実行の際、上記可動ミラーを上記第２の位置に移動させたまま上記撮像手段による撮像動作、及び上記表示手段による画像表示動作を繰り返すように制御する制御手段と、上記連続撮影の開始前に測定された測色値に基づいて、上記表示手段で表示される被写体像の色合いを調整する調整手段と、を具備したことを特徴とする。
【００１２】
さらに、本発明によるデジタル一眼レフカメラは、光学被写体像を観察するためのファインダと、被写体像を撮像するための撮像素子を含む撮像手段と、上記撮像手段の撮像光路内にあって、撮像レンズを通過した被写体光束を上記ファインダ光学系に導く第１の位置と上記撮像光路から退避した第２の位置に移動可能な可動ミラーと、上記可動ミラーを上記第２の位置に保持したまま、上記撮像手段による撮像動作を繰り返させる連続撮像動作を制御する制御手段と、上記連続撮像動作の実行中は、上記ファインダ内において上記光学被写体像に代わって上記撮像手段で撮像した電子被写体像を視認できるよう表示する表示手段と、を具備しており、上記表示手段は、上記光学被写体像と上記電子被写体像の明るさ、および／または、色合いが同じになるように調整して表示することを特徴とし、また、上記連続撮像動作の開始に先立って、上記ファインダ光学系を介して上記被写体像の輝度を測定する測光手段、および／または色度を測定する測色手段を、さらに具備し、該測光手段による上記被写体像の輝度、および／または測色手段による色度の測定結果に基づいて、上記光学被写体像と上記電子被写体像の明るさ、および／または、色合いが同じになるように調整して表示する調整手段を具備したことを特徴とし、さらに、上記連続撮影動作中は、上記可動ミラーは、上記第２の位置に移動させた状態に保持することを特徴とする。
【００１３】
【発明の実施の形態】
まず、本発明の実施の形態を説明するに先立ち、本発明によるデジタル一眼レフカメラの特徴を説明する。
本実施の形態のデジタル一眼レフカメラは、ＣＣＤ等の撮像素子で被写体像を撮像するカメラであって、このデジタル一眼レフカメラには撮像動作開始を指示するためのレリーズ釦が上記カメラの外装筐体に設けられている。また、撮像モードとして、レリーズ釦を押し続けている間は撮像動作を繰り返す「連続撮像モード（以下、連写モードと称す）」と、レリーズ釦の操作で１回だけ撮像動作を実行する「一枚撮像モード（以下、単写モードと称す）」とを選択可能であり、そのためのモード設定手段であるモード釦を備えている。
【００１４】
そして、前記モード設定手段にて「連写モード」が選択された状態でレリーズ釦が操作されている間は、被写体像観察用可動ミラーを撮像光路外に退避したままにして撮像動作を繰り返すようになっている。したがって、連写中、カメラの操作者は、ファインダ光学系による光学被写体像が確認できないことになるが、本実施の形態のデジタル一眼レフカメラにおいては、撮像した画像を撮像直後にファインダ内に表示するための表示手段を配設し、連写中は、撮影者が、光学被写体像に代わって表示手段で電子被写体像を視認するようにしている。
【００１５】
以下、図示の実施の形態によって本発明を説明する。
図１は、本発明の第１実施の形態のデジタル一眼レフカメラの電気回路の構成の概略を示すブロック図である。
図１において、デジタル一眼レフカメラ５００は、カメラ全体の動作シーケンスを司る制御手段としてのＣＰＵ４１と、ストロボ発光ユニット１と、撮影レンズ鏡筒２０と、可動ミラー２４と、シャッタ２６と、撮像手段としての固体撮像素子２７と、ファインダ３０と、ズーム・ピント駆動回路３４と、絞り駆動回路３５と、ミラー駆動回路３６と、ＡＦセンサ駆動回路３７と、シャッタ駆動回路３８と、焦点検出装置３９と、スイッチ入力手段４２と、ＥＥＰＲＯＭ４３と、調整手段を構成する信号処理回路４５と、ストロボ制御回路４６と、ＥＰＲＯＭ４７と、ＳＤＲＡＭ４８と、フラッシュメモリ５０とで、その主要部が構成されている。
【００１６】
撮影レンズ鏡筒２０は、正レンズ２１と負レンズ２３で構成され、この正レンズ２１と負レンズ２３の間には、絞り機構２２が配設されている。撮影レンズ鏡筒２０の正レンズ２１と負レンズ２３は、ズーム・ピント駆動回路３４によって駆動制御され、前記絞り機構２２は絞り駆動回路３５によって駆動制御がなされる。
【００１７】
前記正レンズ２１と負レンズ２３の光軸上の前記負レンズ２３の後方には、中央部分の一部がハーフミラーで形成されている可動ミラー２４が第１の位置であるミラーダウンの位置と第２の位置であるミラーアップの位置とに移動し得るように配設されている。可動ミラー２４は、露光時には、固定軸２４ａの周りに回転しながら第１の位置から焦点板３１に向けてミラーアップの位置である第２の位置に跳ね上がり、撮影光路から待避するようになっている。この可動ミラー２４の中央部分の背面には、サブミラー２５が図中下方に被写体光を反射するように設けられている。
【００１８】
このサブミラー２５の反射光軸の下方には、図中略垂直方向に２つの光学系からなる２像分離のためのセパレータ光学系２８が配設され、また、該セパレータ光学系２８による被写体像の結像位置には、ＡＦセンサ２９が配設され、さらに、このＡＦセンサ２９には、ＡＦセンサ駆動回路３７が接続されている。尚、サブミラー２５、セパレータ光学系２８、及びＡＦセンサ２９は、焦点検出装置３９を構成しており、該焦点検出装置３９は、公知の位相差法によって、被写体の焦点距離を検出する。
【００１９】
ＡＦセンサ２９は、後述するマイクロプロセッサで構成される制御回路（ＣＰＵ）４１からの制御信号によって、ＡＦセンサ駆動回路３７により駆動制御される。ＣＰＵ４１は、このＡＦセンサ２９で生成された２像信号に基づいて２像の間隔（正・負レンズ２１，２３のデフォーカス量に相当する）を求め、合焦位置に撮影レンズ鏡筒２０の正レンズ２１と負レンズ２３を駆動させる駆動量データを演算する。そして、演算生成された駆動量データを基に、ズーム・ピント駆動回路３４を駆動制御して、前記撮影レンズ鏡筒２０の正・負レンズ２１、２３を合焦位置へと駆動する。
【００２０】
ズーム・ピント駆動回路３４は、既知の電磁モータ、超音波モータ等の駆動源や、これらの駆動源を制御するためのドライバ回路や、レンズの位置を検出するためのエンコーダ装置等が含まれて構成されている。特に、レンズ位置を検出するためのエンコーダは、レンズ位置に応じて被写体距離、およびズーム焦点距離をそれぞれ独立して出力するエンコーダ装置で、鏡枠の外表面に設けられた金属パターン上を接片ブラシが摺動するタイプの接触式エンコーダである。また、撮影レンズ鏡筒２０の外表面に白黒パターンを配置し、その白黒パターンをフォトリフレクタで検出する非接触式エンコーダを用いても良く、撮影レンズ鏡筒２０の基準位置からの駆動量を測定して絶対位置を検出する、所謂絶対距離エンコーダであっても良い。
【００２１】
可動ミラー２４の反射光路上には、焦点板（フォーカシングスクリーン）３１、ペンタプリズム３２、及びファインダ接眼レンズ３３で構成されるファインダ光学系が配設されている。尚、このファインダ光学系に、後述する表示手段であるＬＣＤモニタ８、プリズム５４、ターゲットレンズ５５、測光手段である測光センサ５６を追加したものがファインダ装置（以下、ファインダと称す）３０を構成している。撮影レンズ鏡筒２０の正レンズ２１と負レンズ２３で得られた被写体光は、可動ミラー２４で反射されて、焦点板３１に結像される。撮影者は、この焦点板３１に結像された光学被写体像をペンタプリズム３２とファインダ接眼レンズ３３を介して観察光軸より視認する。
【００２２】
測光センサ５６は、ターゲットレンズ５５を介して焦点板３１に結像された光学被写体像の輝度を測光するためのセンサであり、ファインダ３０内の、ファインダ接眼レンズ３３の観察光軸から偏心した測光軸上の位置にターゲットレンズ５５とともに配設されている。また、この測光センサ５６は、その受光面の拡大正面図が図７に示されるように、中央部５６ａと周辺部５６ｂ〜５６ｅの５つに分割された受光面を有するフォトダイオードで形成されている。ＣＰＵ４１は、この測光センサ５６のフォトダイオード５６ａ乃至５６ｅから個々に出力された５個の輝度出力に対して、例えば中央部５６ａからの出力を基準として周辺部５６ｂ〜５６ｅの出力を加味しながら、所定の加重平均演算を施すことにより、露光制御のための被写体輝度情報（ＢＶ値）を求める。
【００２３】
図１に戻り、撮影レンズ鏡筒２０の正レンズ２１と負レンズ２３の光軸上の可動ミラー２４の後方には、シャッタ２６とＣＣＤやＣＭＯＳイメージャ等の固体撮像素子（以下、撮像素子と称す）２７が配設されている。
【００２４】
前記シャッタ２６は、シャッタ駆動回路３８によって所定秒時開放して、被写体像を撮像素子２７の図示しない受光面に結像させるものである。つまり、可動ミラー２４がミラー駆動回路３６の駆動の基で、正負レンズ２１，２３の光軸上から退避するために第２の位置に上昇し、シャッタ２６がシャッタ駆動回路３８の駆動制御の基で開状態となると、撮像素子２７の受光面上に被写体像が結像され、撮像動作が行われる。尚、後述するスイッチ入力手段４２のモード釦により連写モードが設定された際には、可動ミラー２４が第２の位置に上昇（移動）したままで、撮像素子２７による撮像動作が連続的に行われる。
【００２５】
ズーム・ピント駆動回路３４、絞り駆動回路３５、ミラー駆動回路３６、ＡＦセンサ駆動回路３７、シャッタ駆動回路３８は、マイクロプロセッサで構成されるＣＰＵ４１にデータバス５２で接続されている。また、ＣＰＵ４１には、データバス５２を介して、スイッチ入力手段４２と不揮発性メモリであるＥＥＰＲＯＭ４３が接続されている。
【００２６】
スイッチ入力手段４２は、カメラのレリーズ釦の半押し操作に連動してオンする第１レリーズスイッチ、同釦の深押し操作に連動してオンする第２レリーズスイッチ、カメラ内のパワースイッチに連動するスイッチ、単写モードと連写モードを切り換えるためのカメラ内のモード釦に連動するモードスイッチ等（いずれも不図示）の複数のスイッチから構成されており、このスイッチ入力手段４２のいずれかのスイッチ操作に基づく操作信号をＣＰＵ４１に供給する。
【００２７】
また、ＥＥＰＲＯＭ４３は、不揮発性の半導体メモリで、工場においてカメラ個々のばらつきを抑えて出荷するのに必要なカメラ毎の調整値、および測光センサ５６からの出力により、ＣＰＵ４１が後述するバックライト８ｂの光量を規定するためのＢＶ値−バックライト光量の関係を示す係数が格納されている。
【００２８】
ＣＰＵ４１は、第１レリーズスイッチがオンになるとＡＦセンサ駆動回路３７を駆動制御して、ＡＦセンサ２９上の２像間の距離を演算し、その距離データからズーム・ピント駆動回路３４を駆動制御して、撮影レンズ鏡筒２０の正レンズ２１と負レンズ２３の焦点調整を行う。
【００２９】
また、ＣＰＵ４１は、前記第２レリーズスイッチがオンになると、ミラー駆動回路３６を駆動制御して、可動ミラー２４を光軸上から第２の位置に退避移動させると共に、測光センサ５６の出力に基づく被写体輝度情報を基に、適正絞り値とシャッタ秒時を求め、この求めた前記絞り値で絞り駆動回路３５を介して絞り機構２２を駆動し、前記シャッタ秒時で前記シャッタ駆動回路３８を介してシャッタ２６を駆動させる。また、ＥＥＰＲＯＭ４３に格納されたＢＶ値−バックライト光量の関係を示す係数を参照して、後述するバックライト８ｂに供給する電流量（光量）を決定する。尚、ＣＰＵ４１は、露光量決定手段を構成している。
【００３０】
シャッタ２６の開動作によって被写体像が撮像素子２７の受光面上に結像すると、この被写体像はアナログ映像信号に変換され、さらに、信号処理回路４５においてデジタル映像信号に変換される。
【００３１】
信号処理回路４５は、後に図２で詳細に説明するが、内部にＲＩＳＣプロセッサ、カラーブロセッサ、ＪＰＥＧプロセッサを含み、前記デジタル映像信号の圧縮・伸張処理、ホワイト・バランス処理、エッジ強調処理等の画像処理や後述するＬＣＤモニタ８に出力されるコンポジット信号（輝度信号、色差信号）への変換処理等を行う。
【００３２】
また、ＣＰＵ４１と信号処理回路４５は、通信ライン５３で接続されており、映像信号の取り込みタイミング等の制御信号やデータの送受が通信ライン５３を介して行われるようになっている。
【００３３】
信号処理回路４５で生成されたコンポジット信号は、ファインダ３０内における前記ＬＣＤモニタ８に出力されて電子被写体像が表示される。このＬＣＤモニタ８は、ペンタプリズム３２の第３反射面３２ａの外側に配設されている。このＬＣＤモニタ８は、画像を表示するための表示素子であるＬＣＤ（液晶表示素子）８ａと、該ＬＣＤ８ａの表示面を後方から照明するための、例えば白色ＬＥＤのバックライト８ｂを有して構成されている。
【００３４】
ペンタプリズム３２の第３反射面３２ａは、ハーフミラーになっており、ＬＣＤモニタ８との間には、凸レンズ面５４ａを含むプリズム５４が配設されている。このＬＣＤモニタ８のＬＣＤ８ａは、凸レンズ面５４ａにより焦点板３１と光学的等価に位置されている。そして、可動ミラー２４を第１の位置から第２の位置に上昇させて光学的な観察光路を遮断した状態においては、ＬＣＤ８ａに表示された画像を観察可能である。尚、ＬＣＤ８ａに表示された画像の明るさは、バックライト８ｂの白色ＬＥＤの電流供給量を変化させることで、調整することができる。
【００３５】
信号処理回路４５は、データバス５１を介して、ＥＰＲＯＭ４７，ＳＤＲＡＭ（シンクロナスダイナミックランダムアクセスメモリ）４８，及びフラッシュメモリ５０に接続されている。
【００３６】
ＥＰＲＯＭ４７には、信号処理回路４５に含まれるプロセッサで処理されるプログラムが格納されている。ＳＤＲＡＭ４８は、画像処理前の画像データや画像処理中の画像データを一時的に記憶するメモリである。フラッシュメモリ５０は、最終的に確定された画像データを記憶する不揮発性のメモリである。ＳＤＲＡＭ４８は、揮発性の一時的記憶手段で、高速動作することができるが電源供給が停止されると記憶内容が消滅する。一方、フラッシュメモリ５０は、不揮発性記憶手段であり、低速だがカメラの電源がオフされても記憶内容が保存される。
【００３７】
次に、ストロボ発光ユニット１について説明する。ストロボ発光ユニット１は、発光パネル３と反射傘１８と発光放電管１９とトリガ回路４４とを有しており、トリガ回路４４から出力されるトリガ信号によって、発光放電管１９内に封止されているキセノンガスが励起されて発光し、その光は反射傘１８で反射され、さらに発光パネル３を通過して被写体に向けて照射される。尚、トリガ回路４４、発光放電管１９、反射傘１８、発光パネル３は、図示しないが、例えばカメラ本体からポッブアッブするように構成されている。トリガ回路４４は、ストロボ制御回路４６に接続されている。ストロボ制御回路４６は、ＣＰＵ４１の制御の基で、図示しないストロボ用メインコンデンサの充電処理及びトリガ回路４４への発光指示を制御する。
【００３８】
図２は、図１における信号処理回路４５の電気回路の構成の概略とそれに接続される周辺回路を示したブロック図である。
【００３９】
この信号処理回路４５には、信号処理動作を制御する制御回路としてのＣＰＵ１００と、このＣＰＵ１００に接続され、ＣＰＵ１００からの制御信号に従って動作する複数の回路が含まれている。また、ＣＰＵ１００は、上述した図１に示したように、通信ライン５３にてカメラシーケンス制御用のＣＰＵ４１と接続されており、ＣＰＵ４１から送信された制御信号に基づいて信号処理回路４５内の各回路を制御する。
【００４０】
第１の画像処理回路１０１は、ＣＰＵ１００で設定された駆動条件にしたがって撮像素子２７を駆動し、撮像素子２７が出力したアナログ映像信号をＡ／Ｄ変換してデジタル映像信号を生成する前段処理回路である。また、撮像素子２７の遮光部分の画素信号に基づいて、上記デジタル映像信号の補正を行う。
【００４１】
間引き・抽出処理回路１０２は、第１の画像処理回路１０１から出力された上記デジタル映像信号を間引き処理（解像度を低下させる処理）して、第２の画像処理回路１０６，  第３の画像処理回路１０３に出力する。尚、第３の画像処理回路１０３に出力する上記デジタル映像信号は、連写モードで撮影した際に、ＬＣＤモニタ８に表示される電子被写体像の信号である。
【００４２】
ここで、第２の画像処理回路１０６に出力する上記デジタル映像信号の間引きの度合いは、ユーザが設定した解像度に応じてＣＰＵ１００にて指示される。また、第３の画像処理回路１０３に出力するデジタル映像信号の間引きの度合いは、画像表示に適した解像度に応じてＣＰＵ１００にて指示される。また、間引き・抽出処理回路１０２は、上記デジタル映像信号の一部を抽出してホワイトバランス処理回路（以下、ＷＢ処理回路）１０５に出力する。抽出の方法はＣＰＵ１００が指示する。
【００４３】
ＷＢ処理回路１０５は、画像の色バランス（ホワイトバランス）を調整するためのホワイトバランス情報（ＷＢ情報）を出力する回路で、このＷＢ情報は第３の画像処理回路１０３にはダイレクトに送られ、第２の画像処理回路１０６にはＣＰＵ１００を経由して送られる。
【００４４】
第３の画像処理回路１０３は、ＬＣＤモニタ８の表示用画像を生成する回路で、上記デジタル映像信号に、γ補正，データビット数の削減，ＷＢ情報に基づく色調整，ＲＧＢ信号からＹＣｂＣｒ信号ヘの変換等の公知の処理を行う簡易後段処理回路である。一般的に、ＬＣＤモニタ８に撮像画像を繰り返し表示するためには、ソフトウェアによる処理では速度が間に合わないことが多い。したがって、表示のための画像処理はすべて、この第３の画像処理回路１０３にてハードウェア的に処理されるようになっている。
【００４５】
ビデオ・デコーダ１０４は、上記デジタル映像信号のＹＣｂＣｒ信号をＮＴＳＣ信号に変換して上記電子被写体像を形成し、該電子被写体像をＬＣＤモニタ８のＬＣＤ８ａに表示させる。尚、この際、ＬＣＤ８ａの表示面は、バックライト８ｂによって、ＣＰＵ４１で規定された光量により、後方から照明される。
【００４６】
第２の画像処理回路１０６は、フラッシュメモリ５０に記憶するための上記デジタル映像信号を生成する回路で、γ補正，上記デジタル映像信号のデータビット数の削減，ＷＢ情報に基づく色調整，ＲＧＢ信号からＹＣｂＣｒ信号への変換，撮像素子２７の欠陥画素補正，スミア補正，色相や色度等の公知の処理を行う後段処理回路である。
【００４７】
ＪＰＥＧ圧縮／伸張処理回路１０７は、第２の画像処理回路１０６で処理された上記デジタル映像信号をフラッシュメモリ５０に記憶する際にＪＰＥＧ圧縮する、または、フラッシュメモリ５０に記憶されたＪＰＥＧ画像を読み出して伸張するための回路である。
【００４８】
次に、図３を用いて、ＣＰＵ４１の動作シーケンスを説明する。
図３は、図１のデジタル一眼レフカメラで、スイッチ入力手段４２の上記レリーズ釦を半押し操作（第１レリーズオン操作）した後に実行される撮像動作を示したフローチャートである。このフローチャートは、ＣＰＵ４１のメインフローチャート内にてコールされるサブルーチンである。尚、ＣＰＵ４１のメインフローチャートは、従来公知の技術であるので、ここでの説明は省略する。
【００４９】
ステップＳ１では、ターゲットレンズ５５を介して測光センサ５６を駆動制御して測光を行い、その測光センサ５６の出力を用いて被写体の輝度情報を測定する。そして、その輝度情報から露光量（絞り機構２２の絞り込み量、および、シャッタ２６のシャッタスピード）を所定の演算ブログラムにしたがって演算し、その後、ステップＳ２に移行する。
【００５０】
ステップＳ２では、ＡＦセンサ駆動回路３７を介してＡＦセンサ２９を駆動制御して、撮像レンズ２１，２３のデフォーカス量を測定する。そして、その測距値に基づき、撮像レンズ２１，２３の合焦動作を行って、ステップＳ３に移行する。
【００５１】
ステップＳ３では、カメラ操作者がスイッチ入力手段４２の上記レリーズ釦を深押ししているか否かを、第２レリーズスイッチがオンしているか否かを判定する。第２レリーズスイッチがオンしてなければステップＳ１９に分岐する。
【００５２】
ステップＳ１９では、カメラ操作者が上記レリーズ釦を半押ししているか否かを第１レリーズスイッチがオンしているか否かによって判定する。第１レリーズスイッチがオンしておれば、レリーズ釦は半押しされていると判断し、ステップＳ３へ戻る。一方、第１レリーズスイッチがオンでなければ、カメラ操作者はレリーズ釦から指を離したと考えられるので、そのままメインフローにリターンする。
【００５３】
ステップＳ３に戻って、第２レリーズスイッチがオンしておれば、上記レリーズ釦は深押しされていると判断してステップＳ４に移行し、ステップＳ４では、もう１度ターゲットレンズ５５を介して測光センサ５６を駆動制御して測光を行い、その測光センサ５６の出力を用いて、所定の加重平均演算を施すことにより、バックライト光量決定のためのＢＶ値を測定する。尚、ここで、再度測光を行うのは、第１レリーズスイッチを押したまま、撮影者が移動、またはカメラを動かすことにより、被写体の輝度が変化することが考えられるので、ステップＳ３での第２レリーズスイッチをオンした直後の撮像前の被写体輝度を記憶したいためである。その後、ＥＥＰＲＯＭ４３に格納してあるＢＶ値−バックライト光量の関係を示す係数を参照して、バックライト８ｂの光量を決定し、ステップＳ５に移行する。
【００５４】
ステップＳ５では、ミラー駆動回路３６を介して可動ミラー２４を第１の位置から第２の位置である撮像光路外へ退避させて（ミラーアップ）、ステップＳ６に移行し、該ステップＳ６では、スイッチ入力手段４２の上記モードスイッチの状態をチェックし、設定された撮像モードが連写モードであるか否かを判定する。連写モードが設定されている場合には、ステップＳ７に移行する。
【００５５】
ステップＳ７では、ステップＳ１にて演算された絞り込み量に基づいて、絞り駆動回路３５を介して、絞り機構２２の絞り込み動作を行ってステップＳ８に移行する。
【００５６】
ステップＳ８では、ＣＰＵ４１は、信号処理回路４５に対して、撮像開始を指示する信号を送出する。信号処理回路４５はこの信号を受けて、撮像素子２７の撮像動作（積分動作）を開始させ、その後ステップＳ９に移行する。
【００５７】
ステップＳ９では、ステップＳ１で演算したシャッタスピード（シャッタ２６の開閉時間）に基づき、シャッタ２６を開閉し、ステップＳ１０に移行する。
【００５８】
ステップＳ１０では、シャッタ２６を閉成した後、信号処理回路４５に撮像停止を指示する信号を送出する。信号処理回路４５は、この信号を受けて撮像素子２７での積分動作を終了させるとともに、撮像素子２７から映像信号を読み出し、上述した上記デジタル映像信号に変換する処理、および、それに付随する画像処理を実行し、ステップＳ１１に移行する。
【００５９】
ステップＳ１１では、ＣＰＵ４１は、信号処理回路４５に対して、上記デジタル映像信号の格納と表示を指示する制御信号を送出する。信号処理回路４５は、この信号を受けて上記デジタル映像信号を一時的にＳＤＲＡＭ４８の連写データ蓄積領域に順番に格納させるとともに、同データをコンポジット信号（輝度信号、色差信号）へ変換処理する。そして、このコンポジット信号をＬＣＤモニタ８へ供給して、ＬＣＤ８ａに撮像した電子被写体像を表示する。その後、ステップＳ１２に移行する。
【００６０】
ステップＳ１２では、ステップＳ４で決定したバックライト光量でバックライト８ｂを点灯させる。このように、撮像前に測光した被写体輝度で、撮像後のＬＣＤ８ａに表示された電子被写体像を照明することにより、連写の開始前と後でファインダ接眼レンズ３３から観察される被写体像の明るさを同じにすることができる。尚、バックライト８ｂの光量は、上述したように、バックライト８ｂを構成する白色ＬＥＤへの電流供給量を変えることで調整する。その後、ステップＳ１３に移行する。
【００６１】
ステップＳ１３では、第２レリーズスイッチがオフであるかをチェックし、オフであればカメラ操作者が連写を終了させようとしていると判断してステップＳ１４に移行する。一方、オフでなければ、ステップＳ８に戻り、第２レリーズスイッチがオフになるまでステップＳ８〜ステップＳ１３までを繰り返す。つまり、この時点で第２レリーズスイッチがオフでなければ連写は継続され、ファインダ３０内には、直前に撮像した電子被写体像が動画のように順次表示されることになる。
【００６２】
ステップＳ１４では、信号処理回路４５に対し、表示終了を指示する信号を出力する。信号処理回路４５は、この信号を受けてＬＣＤ８ａの表示を中止するとともに、バックライト８ｂを消灯させ、ステップＳ１５に移行する。
【００６３】
ステップＳ１５では、絞り駆動回路３５を介して絞り機構２２を絞り込み状態から開放状態に戻してステップＳ１６に移行し、該ステップＳ１６では、ミラー駆動回路３６を介して可動ミラー２４を第１の位置である撮像光路内へ復帰させて（ミラーダウン）ステップＳ１７に移行し、さらにステップＳ１７では、信号処理回路４５に対し、ＳＤＲＡＭ４８に一時的に記憶されている連写画像をフラッシュメモリ５０の所定の記憶領域に記憶するよう指示し、その後リターンする。
【００６４】
ステップＳ６に戻って、連写モードが設定されていない場合はステップＳ２１に分岐し、ステップＳ２１では、単写モードでの撮像動作を実行する。まず、ステップＳ１にて演算された絞り込み量に基づいて絞り駆動回路３５を介して絞り機構２２を絞り込み、ステップＳ２２に移行する。
【００６５】
ステップＳ２２では、信号処理回路４５に対して、撮像開始を指示する信号を送出する。信号処理回路４５はこの信号を受けて、撮像素子２７の撮像動作（積分動作）を開始させ、ステップＳ２３に移行する。
【００６６】
ステップＳ２３では、ステップＳ１で演算したシャッタスピード（シャッタ２６の開閉時間）に基づき、シャッタ２６を開成して、ステップＳ２４に移行する。
【００６７】
ステップＳ２４では、シャッタ２６を閉じた後、信号処理回路４５に撮像停止を指示する信号を送出する。信号処理回路４５は、この信号を受けて撮像素子２７の積分動作を終了させるとともに、撮像素子２７から映像信号を読み出し、デジタル映像信号に変換する処理、および、それに付随する画像処理を実行する。
【００６８】
ステップＳ２５では、ＣＰＵ４１は、信号処理回路４５に対して、デジタル映像信号の格納を指示する制御信号を送出する。単写モードにおいては、連写モード時のようにデジタル映像信号を一時的にＳＤＲＡＭ４８に格納する必要はないので、信号処理回路４５は、この制御信号を受けてデジタル映像信号をフラッシュメモリ５０の所定の記憶領域に記憶する。尚、単写モードの際は、連写モード時のようなファインダ３０内での電子被写体像の表示は行わない。その後、ステップＳ２６に移行する。
【００６９】
ステップＳ２６では、絞り駆動回路３５を介して絞り機構２２を絞り込み状態から開放状態に戻してステップＳ２７に移行し、該ステップＳ２７では、ミラー駆動回路３６を介して可動ミラー２４を第１の位置である撮像光路内へ復帰させて（ミラーダウン）ステップＳ２８に移行する。
【００７０】
ステップＳ２８では、第１レリーズスイッチがオフであるか否かをチェックし、オフでなければ、このチェックを繰り返す。これは、単写モードにおいてはカメラ操作者がレリーズ釦から指を離すまで次の撮像動作が行われないようにするためである。オフになればメインルーチンにリターンする。
【００７１】
このように、本発明の第１実施形態を示すデジタル一眼レフカメラ５００においては、スイッチ入力手段４２の上記モードスイッチにより、連写モードが設定された際には、測光センサ５６で測光された連写（撮像）前の光学被写体像の輝度より、ＣＰＵ４１は、ＥＥＰＲＯＭ４３に格納してあるＢＶ値−バックライト光量の関係を示す係数を参照して、ＬＣＤ８ａに表示される連写によって撮像された電子被写体像を照明するバックライト８ｂの光量を調整する。
【００７２】
よって、連写前に、焦点板３１に結像された被写体像をペンタプリズム３２を介して観察する光学被写体像の明るさと、連写後のＬＣＤモニタ８で撮影者が観察する電子被写体像の明るさを同一にすることができるため、撮影者は、連写の前後で違和感なく、ファインダ接眼レンズ３３を覗きながら被写体像を観察することができる。
【００７３】
尚、本実施の形態においては、測光センサ５６は、受光面を５分割するようにしたが、これに限らず、いくつに、またどのように分割しても良く、その場合は加重平均演算の割合を各センサの出力によって変えれば良い。
【００７４】
図４は、本発明の第２実施の形態のデジタル一眼レフカメラの電気回路の構成の概略を示すブロック図である。
この第２実施形態のデジタル一眼レフカメラ１０００の構成および作用は、前記図１、図２に示した第１実施形態のデジタル一眼レフカメラ５００と殆ど同じであるが、本実施の形態では、測光センサは、被写体の輝度のみならず、色度も測定する点が異なる。よって、この相違点のみを説明し、第１実施形態と同様の構成には同じ符号を付し、その説明は省略する。
【００７５】
図４に示すように、可動ミラー２４の反射光路上には、焦点板（フォーカシングスクリーン）３１、ペンタプリズム３２、及びファインダ接眼レンズ３３で構成されるファインダ光学系が配置されている。尚、このファインダ光学系に、後述するＬＣＤモニタ８、プリズム５４、ターゲットレンズ５５、測光手段および測色手段である測光測色センサ５６１を追加したものがファインダ装置（以下、ファインダと称す）３００を構成している。撮影レンズ鏡筒２０の正レンズ２１と負レンズ２３で得られた被写体光は、可動ミラー２４で反射されて、焦点板３１に結像される。撮影者は、この焦点板３１に結像された光学被写体像をペンタプリズム３２とファインダ接眼レンズ３３を介した観察光軸より視認する。
【００７６】
測光測色センサ５６１は、ターゲットレンズ５５を介して焦点板３１に結像された被写体像の輝度及び色度を測定するためのセンサであり、ファインダ３００内の、ファインダ接眼レンズ３３の観察光軸から偏心した測光軸上の位置にターゲットレンズ５５とともに配設されている。この測光測色センサ５６１は、その受光面の拡大正面図が図８に示されるように、全画面を１６個に均一に分割した受光面５６１ａ〜５６１ｐを有するフォトダイオードで形成されている。
【００７７】
また、受光面５６１ａ〜５６１ｐは、その各受光面が図９に示すように、それぞれＲ（赤成分），Ｇ（緑成分），Ｂ（青成分）の３色を測定する、不図示の３色フィルタの下方に配設された３個の受光素子（センサ）で構成されている。この３個の受光センサの出力に基づき、１６個の受光部領域の色度をそれぞれ測定することで、それらを総合して撮影画面の色度を判別することができる。
【００７８】
この色度を判別する原理は公知の技術なので概略を以下に説明すると、図１０は、図９で示したＲ，Ｇ，Ｂセンサの分光感度特性を示す図で、横軸が波長、縦軸が感度である。Ｒ，Ｇ，Ｂのセンサ出力をそれぞれＸ，Ｙ，Ｚとすると、色度座標ｘ，ｙは、
ｘ＝Ｘ／（Ｘ十Ｙ十Ｚ）…（１）◎
ｙ＝Ｙ／（Ｘ十Ｙ十Ｚ）…（２）◎
となる。
【００７９】
この式から求められた色度座標ｘ，ｙの値に基づき、図１１に示すｘ−ｙ色度図から各領域（Ｒ，Ｇ，Ｂ）の色度が判別され、それぞれの色度の平均をとれば撮影画面の色度が分かる。ただし、センサと人間の目とは色に対する感度が異なるので、さらにその値を一般的な人間の視覚に適合させるための公知の補正処理が必要であるが、その詳細説明は省略する。
【００８０】
図４に戻って、制御手段であるＣＰＵ４１０は、第２レリーズスイッチがオンされた直後の測光測色センサ５６１の出力に基づく被写体色度情報を受けて上述した図１１に示す手法で色度を演算し、後述する通信ライン５３を介して接続される信号処理回路４５０に、第２レリーズスイッチがオンされた直後の被写体色度の情報を出力する。尚、その他の作用は、上述した第１実施の形態と同様である。
【００８１】
調整手段を構成する信号処理回路４５０は、ＣＰＵ４１０からの被写体色度情報を受けて、連写の際に撮像されたデジタル映像信号に、所定の色度調整処理を行って、ＬＣＤモニタ８に出力する。尚、その他の作用は、上述した第１実施の形態と同様である。
【００８２】
図５は、図４における信号処理回路４５０の電気回路の構成の概略とそれに接続される周辺回路を示したブロック図である。
【００８３】
この信号処理回路４５０には、信号処理動作を制御する制御回路としてのＣＰＵ２００と、このＣＰＵ２００に接続され、該ＣＰＵ２００からの制御信号に従って動作する複数の回路が含まれている。また、ＣＰＵ２００は、上述した図４に示したように、通信ライン５３にてカメラシーケンス制御用のＣＰＵ４１０と接続されており、ＣＰＵ４１０から送信された制御信号に基づいて信号処理回路４５０内の各回路を制御する。また、ＣＰＵ４１０から出力された第２レリーズスイッチがオンされた直後の被写体色度情報（Ｒ成分，Ｇ成分，Ｂ成分の割合に関する情報）を、第３の画像処理回路２０３に出力する。尚、その他の作用は、上述した第１実施の形態と同様である。
【００８４】
第３の画像処理回路２０３は、ＬＣＤモニタ８の表示用画像を生成する回路であり、間引き・抽出処理回路１０２から出力された上記デジタル映像信号の色合いを、ＣＰＵ２００から出力された被写体の色度情報と同一となるように補正するとともに、上記デジタル映像信号に、上述した人間の視感度に対する公知の補正処理を行う。このことにより、撮像素子２７の分光感度分布特性と撮影者の視感度との間に発生する色感度に対する違いを補正することができる。尚、その他の作用は、上述した第１実施の形態と同様である。
【００８５】
ビデオ・デコーダ２０４は、上記デジタル映像信号のＹＣｂＣｒ信号をＮＴＳＣ信号に変換して電子被写体像を形成し、第３の画像処理回路２０３から出力された色補正された電子被写体像をＬＣＤモニタ８のＬＣＤ８ａに表示させる。尚、その他の作用は、上述した第１実施の形態と同様である。
【００８６】
次に、図６を用いて、ＣＰＵ４１０の動作シーケンスを説明する。
図６は、図４のデジタル一眼レフカメラで、スイッチ入力手段４２の上記レリーズ釦を半押し操作（第１レリーズオン操作）した後に実行される撮像動作を示したフローチャートである。このフローチャートは、ＣＰＵ４１０のメインフローチャート内にてコールされるサブルーチンである。尚、ＣＰＵ４１０のメインフローチャートは、従来公知の技術であるので、ここでの説明は省略する。
【００８７】
ステップＳ２０１では、ターゲットレンズ５５を介して測光測色センサ５６１（図４参照）を駆動制御して測色を行い、その測光測色センサ５６１のＲ成分，Ｇ成分，Ｂ成分の全出力を足し合わせた値に基づいて、被写体の輝度情報を測定する。そして、その輝度情報から露光量（絞り機構２２の絞り込み量、および、シャッタ２６のシャッタスピード）を所定の演算プログラムにしたがって演算し、その後、ステップＳ２に移行する。
【００８８】
ステップＳ２では、ＡＦセンサ駆動回路３７を介してＡＦセンサ２９を駆動制御して、撮影レンズ２１，２３のデフォーカス量を測定する。そして、その測距値に基づき、撮影レンズ２１，２３の合焦動作を行って、ステップＳ３に移行する。
【００８９】
ステップＳ３では、カメラ操作者がスイッチ入力手段４２の上記レリーズ釦を深押ししているか否かを、第２レリーズスイッチがオンしているか否かを判定する。第２レリーズスイッチがオンしてなければステップＳ１９に分岐する。
【００９０】
ステップＳ１９では、カメラ操作者が次に上記レリーズ釦を半押ししているか否かを第１レリーズスイッチがオンしているか否かで判定する。第１レリーズスイッチがオンしておれば、レリーズ釦は半押しされていると判断し、再びステップＳ３へ戻る。一方、第１レリーズスイッチがオンでなければ、カメラ操作者はレリーズ釦から指を離したと考えられるので、そのままメインフローにリターンする。
【００９１】
ステップＳ３に戻って、第２レリーズスイッチがオンしておれば上記レリーズ釦は深押しされていると判断してステップＳ２０２に移行し、ステップＳ２０２では、もう１度ターゲットレンズ５５を介して測光測色センサ５６１を駆動制御して測色を行い、被写体の色度を記憶するとともに、その測光測色センサ５６１の（Ｒ，Ｇ，Ｂ）の全出力を用いて、所定の加重平均演算を施すことにより、色あい調整及びバックライト光量調整のための測色を行なう。尚、ここで、再度測色を行うのは、第１レリーズスイッチを押したまま、撮影者が移動、またはカメラを動かすことにより、被写体の輝度および色度が変化することが考えられるので、第２レリーズスイッチを押された直後の被写体の輝度および色度を記憶する必要があるためである。その後、ＥＥＰＲＯＭ４３に格納してあるＢＶ値−バックライト光量の関係を示す係数を参照して、バックライト８ｂの光量を決定し、ステップＳ２０３に移行する。
【００９２】
ステップＳ２０３では、第２レリーズスイッチがオンされた直後の焦点板３１に結像された被写体像の色度を上述した図１１に示した手法により演算して、該被写体色度の情報を信号処理回路４５０のＣＰＵ２００（図５参照）に転送する。該ＣＰＵ２００はこれを受けて、色度情報を第３の画像処理回路２０３（図５参照）に出力してステップＳ５に移行する。
【００９３】
ステップＳ５では、ミラー駆動回路３６を介して可動ミラー２４を第２の位置である撮像光路外へ退避させ（ミラーアップ）、ステップＳ６に移行し、該ステップＳ６では、スイッチ入力手段４２の上記モードスイッチの状態をチェックし、設定された撮像モードが連写モードであるか否かを判定する。連写モードが設定されている場合には、ステップＳ７に移行し、連写モードでない場合、即ち単写モードであるときは、ステップＳ２１に分岐する。
【００９４】
以下、ステップＳ２１〜ステップＳ２８までは、上述した第１実施の形態と同じであるので、その説明は省略する。また、ステップＳ７〜ステップＳ９も上述した第１実施の形態と同じであるので、その説明は省略する。また、ステップＳ９からは、ステップＳ２０４に移行する。
【００９５】
ステップＳ２０４では、シャッタ２６を閉成した後、信号処理回路４５０に撮像停止を指示する信号を送出する。信号処理回路４５０は、この信号を受けて撮像素子２７での積分動作を終了させるとともに、撮像素子２７から映像信号を読み出し、上述した上記デジタル映像信号に変換する処理、および、ステップＳ２０３でＣＰＵ２００から出力された色度情報を用いて、第３の画像処理回路２０３（いずれも図５参照）で上述した上記デジタル映像信号に色合い補正処理、さらに、それに付随する画像処理を実行して、ステップＳ２０５に移行する。
【００９６】
ステップＳ２０５では、ＣＰＵ４１０は、信号処理回路４５０に対して、上記デジタル映像信号の格納と表示を指示する制御信号を送出する。信号処理回路４５０は、この信号を受けて上記デジタル映像信号を一時的にＳＤＲＡＭ４８の連写データ蓄積領域に順番に格納させるとともに、同データをコンポジット信号（輝度信号、色差信号）へ変換処理する。そして、ビデオ・デコーダ２０４（図５参照）により、第３の画像処理回路２０３から出力された色補正済みの電子被写体像に、このコンポジット信号をＬＣＤモニタ８へ供給して、ＬＣＤ８ａに撮像した電子被写体像を表示する。その後、ステップＳ２０６に移行する。
【００９７】
ステップＳ２０６では、ステップＳ２０２で決定したバックライト光量でバックライト８ｂを点灯させる。このように、撮像前に測光した被写体輝度で、撮像後のＬＣＤ８ａに表示された電子被写体像を照明することにより、連写の開始前と後でファインダ接眼レンズ３３から観察される被写体像の明るさを同じにすることができる。尚、バックライト８ｂの光量は、上述したように、バックライト８ｂを構成する白色ＬＥＤへの電流供給量を変えることで、調整することができる。その後、ステップＳ１３に移行する。
【００９８】
以下、ステップＳ１３〜ステップＳ１７までは、上述した第１実施の形態と同じであるので、その説明は省略する。
【００９９】
このように、本発明の第２実施形態を示すデジタル一眼レフカメラにおいては、スイッチ入力手段４２の上記モードスイッチにより、連写モードが設定された際には、測光測色センサ５６１で測色された連写（撮像）前の光学被写体像の色度より、ＣＰＵ４１０は、被写体色度情報を演算して信号処理回路４５０に出力し、該信号処理回路４５０で、撮像後の表示用電子被写体像の色度を補正する。また、ＣＰＵ４１０は、ＥＥＰＲＯＭ４３に格納してあるＢＶ値−バックライト光量の関係を示す係数を参照して、ＬＣＤ８ａに表示される連写によって撮像された被写体電子画を照明するバックライト８ｂの光量を調整する。
【０１００】
よって、連写前に、焦点板３１に結像された光学被写体像をペンタプリズム３２を介して観察する被写体の明るさおよび色合いと、連写後のＬＣＤモニタ８で撮影者が観察する電子被写体像の明るさ並びに色合いを同一にすることができるため、撮影者は、連写の前後で違和感なく、ファインダ接眼レンズ３３を覗きながら被写体像を観察することができる。
【０１０１】
尚、本実施の形態においては、測光測色センサ５６１は、受光面を均一に１６分割するようにしたが、これに限らず、いくつに、またどのように分割しても良く、その場合は荷重平均演算の割合を各センサの出力によって変えれば良い。
【０１０２】
また、受光面５６１ａ〜５６１ｐのそれぞれは、図９に示すように、各々Ｒ（赤成分），Ｇ（緑成分），Ｂ（青成分）の３色を測定する、不図示の３色フィルタの下方に配設された３個の受光センサで構成されているとしたが、測定する色成分およびフィルタ数を増やしても良いことは云うまでもない。
【０１０３】
【発明の効果】
以上、述べたように本発明によれば、連続撮影の開始前と後で観察する画像の明るさおよび色合いに変化のないファインダ装置を有するデジタル一眼レフカメラを提供することができる。
【図面の簡単な説明】
【図１】本発明の第１実施の形態のデジタル一眼レフカメラの電気回路の構成の概略を示すブロック図、
【図２】図１中の信号処理回路の電気回路の構成の概略とそれに接続される周辺回路を示したブロック図、
【図３】図１中のスイッチ入力手段のレリーズ釦を半押し操作した後に実行される撮像動作を示したフローチャート、
【図４】本発明の第２実施の形態のデジタル一眼レフカメラの電気回路の構成の概略を示すブロック図、
【図５】図４中の信号処理回路の電気回路の構成の概略とそれに接続される周辺回路を示したブロック図、
【図６】図４中のスイッチ入力手段のレリーズ釦を半押し操作した後に実行される撮像動作を示したフローチャート、
【図７】図１中の測光センサの受光面の拡大正面図、
【図８】図４中の測光測色センサの受光面の拡大正面図、
【図９】図８の受光面に配設された受光センサの構成を示した部分拡大正面図、
【図１０】図９の受光センサの分光感度を示す特性図、
【図１１】図９の受光センサの出力と、色度座標の関係を示した線図。
【符号の説明】
８…ＬＣＤモニタ（表示手段）
８ａ…ＬＣＤ（表示素子）
８ｂ…バックライト
２４…可動ミラー
２７…固体撮像素子（撮像手段）
３０，３００…ファインダ
３１…焦点板（ファインダ光学系）
３２…ペンタプリズム（ファインダ光学系）
３３…ファインダ接眼レンズ（ファインダ光学系）
４１，４１０…ＣＰＵ（露光量決定手段）（制御手段）
４５，４５０…信号処理回路（調整手段）
５６…測光センサ（測光手段）
５００，１０００…デジタル一眼レフカメラ
５６１…測光測色センサ（測色手段）（測光手段）
【図１】
2005006217.tif 000003
【図２】
2005006217.tif 000004
【図３】
2005006217.tif 000005
【図４】
2005006217.tif 000006
【図５】
2005006217.tif 000007
【図６】
2005006217.tif 000008
【図７】
2005006217.tif 000009
【図８】
2005006217.tif 000010
【図９】
2005006217.tif 000011
【図１０】
2005006217.tif 000012
【図１１】
2005006217.tif 000013